(57)【特許請求の範囲】
【請求項１】
ダブルクリップによって束ねられた書類束の複数束を重ねてファイリングするために用いるダブルクリップ用アタッチメントであって、中央にファイリング用孔（11）が設けられている所要の厚みの頭部(1) の一側下面にヒンジ部 (3)を介して先端に係止爪部(21)を備えた押さえ板片(2) を折曲自在に連設するとともに、頭部(1) の他側下面に前記した押さえ板片(2) の係止爪部(21)を係脱自在とする爪受部(4) を設けたことを特徴とするダブルクリップ用アタッチメント。
【請求項２】
頭部(1) は、外形が略山形で、所要の弾性を有する合成樹脂材によりヒンジ部 (3)および押さえ板片(2) とともに一体成形されたものである請求項１に記載のダブルクリップ用アタッチメント。
【請求項３】
押さえ板片(2) は、両側端に低い立ち上がり部(22)、(23)を有する浅樋状で、その一方の立ち上がり部(22)の上端をもって頭部(1) の一側下面にヒンジ部 (3)を介して折曲自在に連設されていて、係止爪部(21)を爪受部(4) に係止させたときに頭部(1) の下面と押さえ板片(2) との間に隙間(S) が形成されるものとした請求項１または２に記載のダブルクリップ用アタッチメント。
【請求項４】
係止爪部(21)の先端が弧状面とされてダブルクリップへの挿込ガイドとなっている請求項１または２または３に記載のダブルクリップ用アタッチメント。
【発明の詳細な説明】
【技術分野】
【０００１】
本発明は弾性金属板を折り曲げたクリップ本体に開きハンドルを回動自在に取り付けた事務用のダブルクリップによって束ねた書類束の複数束を重ねてバインダーなどにファイリングするために用いるダブルクリップ用アタッチメントに関するものである。
【背景技術】
【０００２】
事務用のダブルクリップによって束ねた書類束の複数束を重ねてバインダーなどにファイリングするには、バインダーの綴金具を挿し込むファイリング用孔が必要であるが、書類束にファイリング用孔を穿孔することは書類自体が傷付けられるために保存上好ましくないうえに穿孔作業も面倒である。そこで、ダブルクリップによって束ねた書類束の複数束を重ねてバインダーなどにファイリングする際、ダブルクリップにファイリング用孔付のアタッチメントを組み付けてこのアタッチメントのファイリング用孔をバインダーの綴金具を挿し込むようにしたダブルクリップ用アタッチメントが実開平３−１１４３７８号公報や実開平５−６０８７９号公報などにより先に提案されているが、いずれもダブルクリップへの的確な組み付けを行えないためバインダーなどに安定したファイリングができないうえに体裁も悪いものであった。
【特許文献１】実開平３−１１４３７８号公報
【特許文献２】実開平５−６０８７９号公報
【発明の開示】
【発明が解決しようとする課題】
【０００３】
本発明が解決しようとするところは、前記のような問題をなくし、ダブルクリップへの的確な組み付けを簡単に行うことができてバインダーなどに安定したファイリングを行うことができるうえに体裁のよいダブルクリップ用アタッチメントを提供することを目的とするものである。
【課題を解決するための手段】
【０００４】
前記のような課題を解決した本発明のダブルクリップ用アタッチメントは、ダブルクリップによって束ねられた書類束の複数束を重ねてファイリングするために用いるダブルクリップ用アタッチメントであって、中央にファイリング用孔が設けられている所要の厚みの頭部の一側下面にヒンジ部を介して先端に係止爪部を備えた押さえ板片を折曲自在に連設するとともに、頭部の他側下面に前記した押さえ板片の係止爪部を係脱自在とする爪受部を設けたことを特徴とするものである。なお、頭部は、外形が略山形で、所要の弾性を有する合成樹脂材によりヒンジ部および押さえ板片とともに一体成形されたものが生産性がよいので好ましく、また、押さえ板片は、両端に低い立ち上がり部を有する浅樋状で、その一方の立ち上がり部の上端をもって頭部の一側下面にヒンジ部を介して折曲自在に連設することにより係止爪部を爪受部に係止させたときに頭部の下面と押さえ板片との間に隙間が形成されるものとしてこの隙間に事務用のダブルクリップの本体頂部を介入させるようにしたり、係止爪部の先端を弧状面としてこれをダブルクリップへの挿込ガイドとすることにより、ダブルクリップへの組み付けを容易化しておくことが好ましい。
【発明の効果】
【０００５】
本発明のダブルクリップ用アタッチメントは、中央にファイリング用孔が設けられている頭部の一側下面にヒンジ部を介して先端に係止爪部を備えた押さえ板片を折曲自在に連設してこの押さえ板片の係止爪部を頭部の他側下面に設けてある爪受部に係脱自在としてあるので、使用時には押さえ板片の係止爪部の爪受部に対する係止を解いて押さえ板片を頭部の一側のヒンジ部より折り曲げて図３に示すような開かれた状態とする。そして、この開かれた押さえ板片の係止爪部を備えている遊端をもって多数枚の書類を束ねている事務用のダブルクリップの頂板部の下面に沿ってクリップ本体内に挿入したうえ係止爪部を爪受部に係止させることによりダブルクリップに組み付ければ、ダブルクリップにより束ねられた書類束の端縁には、ファイリング用孔が中央に設けられている頭部が張出されることとなり、このような係止爪部と爪受部との係脱だけの簡単な操作でダブルクリップへの組み付けを行うことができる。そして、書類束の複数束を重ねてバインダーなどにファイリングするときには、図４に示すように、各書類束を束ねているダブルクリップの取付位置を等しくしておくことにより、重ねられた各書類束のダブルクリップに組み付けられたダブルクリップ用アタッチメントの頭部が並列されて書類束の端縁より張出しこの張出した各頭部の中央のファイリング用孔は連通するから、この連通状態にあるファイリング用孔を利用してバインダーなどの綴金具に簡単に綴じ込むことができる。このため、書類束にファイリング用孔を穿孔する必要がなくなり、これにより書類自体が傷付けられることがなくて保存上好ましいうえに穿孔作業のような無駄な作業も不要となる。
【０００６】  次に、本発明の好ましい実施の形態を図に基づいて詳細に説明する。  図において、１は好ましくは正面から見ると略山形で側面から見ると底辺が事務用のダブルクリップ６１の頂板部６２の奥行幅と略等幅でやや上窄まりの形状をした頭部であり、この頭部１の中央にはファイリング用孔１１が設けられている。図示する頭部１は、ポリプロピレン樹脂やポリエチレン樹脂、ポリアミド樹脂などの所要の弾性を有する強靱な合成樹脂材により正面からみて成形されたものであるが、その材質や形状は前記のようなものに限定されるものではない。また、この頭部１の裾端にあたる一側下面にはヒンジ部３を介して奥行幅が前記した頭部１と略等しくて先端に係止爪部２１を備えた押さえ板片２が折曲自在に連設されており、一方、頭部１の他側下面には前記した押さえ板片２の係止爪部２１を係脱自在とする爪受部４が設けられている。なお、前記したように頭部１と押さえ板片２とは生産性を高めるために合成樹脂材によりヒンジ部３を介して一体成形されたものとしているが、特に一体成形したものに限定されるものではなく、頭部１と押さえ板片２とを合成樹脂や金属その他任意の材料により別材として製作して、この頭部１と押さえ板片２とをヒンジ結合したものとしてもよい。また、前記した押さえ板片２は、両側端に低い立ち上がり部２２、２３を有する浅樋状のもので、その一方の立ち上がり部２２の上端をもって頭部１の一側下面にヒンジ部３を介して折曲自在に連設されていて、係止爪部２１を爪受部４に係止させたときには頭部１の水平な下面と押さえ板片２の水平な上面との間に僅かな隙間Ｓが形成されるものとしてある。さらに、前記した係止爪部２１の先端は弧状面とされてこの係止爪部２１の先端がダブルクリップへの挿込ガイドの役を果たすものとしている。【０００７】  このような本発明のダブルクリップ用アタッチメントは、係止爪部２１の爪受部４に対する係止を解いて押さえ板片２を開いたうえこの押さえ板片２を事務用のダブルクリップ６１に挿入したうえ押さえ板片２を閉じて係止爪部２１を爪受部４に係止させるという簡単な操作でダブルクリップ６１に組み付けることができるので、ダブルクリップ６１によって束ねた書類束の複数束を重ねてバインダーなどにファイリングするときに、書類束にファイリング用孔を穿孔することなく、書類を束ねたダブルクリップ６１に組み付けられて書類束の端縁より張出している頭部１の中央に設けたファイリング用孔１１を利用して簡単にファイリングすることができることとなり、書類自体が傷付けられることがないので書類保存上好ましいうえ、穿孔作業などの面倒な手数をなくすことができる。しかも、ダブルクリップ６１への組み付けは、頭部１の一側下面にヒンジ部３を介して連設してある押さえ板片２を開いてダブルクリップ６１の頂板部６２の下側に挿し込んだうえ、先端の係止爪部２１を頭部１の他側下面に設けた爪受部４に係止させるというワンタッチ操作で的確に行えるので作業性がよいうえに体裁のよい安定したファイリングができることとなる。
【図面の簡単な説明】
【０００８】
【図１】本発明の好ましい実施の形態を示す斜視図である。
【図２】本発明の好ましい実施の形態を示す縦断正面図である。
【図３】本発明の好ましい実施の形態を押さえ板片が開かれた状態で示す斜視図である。
【図４】使用状態を説明する要部の斜視図である。
【符号の説明】
【０００９】
１  頭部
11  ファイリング孔
２  押さえ板片  
21  係止爪部
22  立ち上がり部                                                                ３  ヒンジ部                                                                    ４  爪受部
【図１】
0004548786.tif 000002
【図２】
0004548786.tif 000003
【図３】
0004548786.tif 000004
【図４】
0004548786.tif 000005